(57)【要約】【課題】電子レンジで蒸し料理を可能にする調理器具並びに電子レンジ及び電磁調理器に兼用できる調理器具を提供すること。【解決手段】周壁２１に少なくとも１つの切欠部２５を有し水が貯蔵される貯蔵部２４ａ及び貯蔵部２４ａの上部に素材が配置される配置部２４ｂを有する下に凸で上部開口を有する形状に、マイクロ波を遮断する材料で成形された調理器具本体１１と、調理器具本体１１の外周面に配置された外面耐熱層１２と、欠落部２５に液密に装着されたマイクロ波通過板１３と、調理器具本体１１の内壁に密着して配置部２４ｂを貯蔵部２４ａから区画する、複数の貫通孔１４ａを有するスノコ１４と、前記上部開口を液密に密閉する、マイクロ波を遮断する素材で作製された基体１５ａ及びその外側表面に配置された蓋用耐熱層１５ｂを有する蓋１５とを備えていることを特徴とする調理器具。【選択図】          図１
2014036811.tif 000002
【特許請求の範囲】
【請求項１】
周壁に少なくとも１つの切欠部を有し水が貯蔵される貯蔵部及び前記貯蔵部の上部に素材が配置される配置部を有する下に凸で上部開口を有する形状に、マイクロ波を遮断する材料で成形された調理器具本体と、
前記調理器具本体の外周面に配置された外面耐熱層と、
前記欠落部それぞれに液密に装着されたマイクロ波通過板と、
前記調理器具本体の内壁に密着して前記配置部を前記貯蔵部から区画する、複数の貫通孔を有するスノコと、
前記上部開口を液密に密閉する、前記マイクロ波を遮断する素材で作製された基体及びその外側表面に配置された蓋用耐熱層を有する蓋とを備えていることを特徴とする調理器具。
【請求項２】
前記外面耐熱層及び前記蓋用耐熱層は、磁性粉を含有する第１外面耐熱層と磁性粉を含有しない第２外面耐熱層とを含む少なくとも２層構造を有していることを特徴とする請求項１に記載の調理器具。
【請求項３】
前記調理器具本体の内周面に配置された内面耐熱層を備えていることを特徴とする請求項１又は２に記載の調理器具。
【請求項４】
前記調理器具本体は、複数の脚を備えていることを特徴とする請求項１〜３のいずれか１項に記載の調理器具。
【請求項５】
前記マイクロ波をブロックする素材は、非磁性金属であることを特徴とする請求項１〜４のいずれか１項に記載の調理器具。
【請求項６】
前記調理器具本体の底面に磁性金属板が配置されていることを特徴とする請求項５に記載の調理器具。
【請求項７】
前記マイクロ波をブロックする素材は、磁性金属であることを特徴とする請求項１〜４のいずれか１項に記載の調理器具。
【発明の詳細な説明】
【技術分野】
【０００１】
この発明は、調理器具に関し、さらに詳しくは、電子レンジで蒸し料理を可能にする調理器具並びに電子レンジ及び電磁調理器に兼用できる調理器具に関する。
【背景技術】
【０００２】
電磁誘導による誘導加熱を利用した電磁調理器（ＩＨ調理器とも称する。）に使用される電磁調理器具（ＩＨ調理器具とも称される。）、及び、電子レンジで調理可能なレンジ用調理器具が実用化されている。
【０００３】
このようなＩＨ調理機器としては、例えば、片手鍋、両手鍋、土鍋、蒸し鍋等の調理鍋、フライパン、やかん等が挙げられる。具体的には、「容器状の金属部の外側表面のみに樹脂コーティングが施されていることを特徴とする調理用加熱容器」（請求項１）が特許文献１に、また「電磁波により加熱する電磁波加熱方法において、調理器具の加熱できる部材が磁性材料より構成され、且つこの磁性材料の導電率が１００Ｓｃｍ−１以上であり、且つこの磁性材料のキュリー温度が４００℃以下であり、保磁力が０．５Ａ／ｍ以上からなることを特徴とする調理器具」（請求項１）が特許文献２に、それぞれ、記載されている。
【０００４】
一方、レンジ用調理器具（この発明において、単に「調理器具」と称することがある。）としては、例えば、調理鍋、蒸し器等が挙げられる。具体的には、特許文献３には、概略、「マイクロ波を対象物に直接に照射しないようにアルミ箔などで遮断し且つアルミ箔の外部に、一定のキュリー温度のある磁性体を粉体に加工し、シート状に付着させた包装材に対象物を入れ、これを石英ガラス製の容器に収納」する「解凍又は加熱を行う技術」が記載されている（要約書及び請求項１等）。
【０００５】
ここで、レンジ用調理器具はマイクロ波を照射するだけで簡潔に調理でき、例えば、特許文献３の技術においては「冷凍の惣菜類、スープ類、丼物などの加熱、又は、寿司の解凍」等が可能であると記載されている（要約書及び０００９欄〜００１２欄等）。
【０００６】
このように、電子レンジを用いると調理する素材を解凍又は加熱することができるものの、例えば、マイクロ波が素材に直接照射されると素材の水分が蒸発してしまい、素材を蒸すことができない。
【先行技術文献】
【特許文献】
【０００７】
【特許文献１】特開２００４−１７４０８５号公報
【特許文献２】特開２００７−１１７１７５号公報
【特許文献３】特開２００４−０９７１７９号公報
【発明の概要】
【発明が解決しようとする課題】
【０００８】
この発明は、電子レンジで蒸し料理を可能にする調理器具、並びに、電子レンジ及び電磁調理器に兼用できる調理器具を提供することを、目的とする。
【課題を解決するための手段】
【０００９】
前記課題を解決するための手段として、
請求項１は、周壁に少なくとも１つの切欠部を有し水が貯蔵される貯蔵部及び前記貯蔵部の上部に素材が配置される配置部を有する下に凸で上部開口を有する形状に、マイクロ波を遮断する材料で成形された調理器具本体と、前記調理器具本体の外周面に配置された外面耐熱層と、前記欠落部それぞれに液密に装着されたマイクロ波通過板と、前記調理器具本体の内壁に密着して前記配置部を前記貯蔵部から区画する、複数の貫通孔を有するスノコと、前記上部開口を液密に密閉する、前記マイクロ波を遮断する素材で作製された基体及びその外側表面に配置された蓋用耐熱層を有する蓋とを備えていることを特徴とする調理器具であり、
請求項２は、前記外面耐熱層及び前記蓋用耐熱層は磁性粉を含有する第１外面耐熱層と磁性粉を含有しない第２外面耐熱層とを含む少なくとも２層構造を有していることを特徴とする請求項１に記載の調理器具であり、
請求項３は、前記調理器具本体の内周面に配置された内面耐熱層を備えていることを特徴とする請求項１又は２に記載の調理器具であり、
請求項４は、前記調理器具本体は複数の脚を備えていることを特徴とする請求項１〜３のいずれか１項に記載の調理器具であり、
請求項５は、前記マイクロ波をブロックする素材は非磁性金属であることを特徴とする請求項１〜４のいずれか１項に記載の調理器具であり、
請求項６は、前記調理器具本体の底面に磁性金属板が配置されていることを特徴とする請求項５に記載の調理器具であり、
請求項７は、前記マイクロ波をブロックする素材は磁性金属であることを特徴とする請求項１〜４のいずれか１項に記載の調理器具である。
【発明の効果】
【００１０】
この発明に係る調理器具は、前記構成を有しているから、前記マイクロ波通過板を通過したマイクロ波は前記貯蔵部に収容された水に入射し、前記調理器具本体、前記スノコ及び前記蓋で囲繞され、前記スノコ上に配置された素材には入射しない。そうすると、この発明に係る調理器具に収容された水のみが加熱され、発生する蒸気によって素材が加熱され、電子レンジで蒸し料理が可能になる。したがって、この発明によれば、電子レンジで蒸し料理を可能にする調理器具を提供することができる。
【００１１】
また、この発明に係る調理器具は、マイクロ波をブロックする素材又は磁性金属板によって電子レンジでの調理に加えて電磁調理器でも調理できる。したがって、この発明によれば、電子レンジ及び電磁調理器に兼用できる調理器具を提供することができる。
【図面の簡単な説明】
【００１２】
【図１】図１は、この発明に係る調理器具の一例を示す概略図であり、図１（ａ）はこの発明に係る調理器具の一例を示す概略正面図であり、図１（ｂ）はこの発明に係る調理器具の一例を示す概略断面図である。
【図２】図２は、この発明に係る調理器具の別の一例を示す概略断面図である。
【図３】図３は、この発明に係る調理器具のまた別の一例を示す概略断面図である。
【発明を実施するための形態】
【００１３】
この発明に係る調理器具は、電子レンジで少なくとも蒸し料理が可能となる調理器具である。したがって、この発明に係る調理器具は、電子レンジで蒸し料理のみが可能な調理器具であってもよく、電子レンジでの蒸し料理に加えて蒸し料理以外の加熱料理が可能な調理器具であってもよく、また電磁調理器で加熱料理が可能な調理器具であってもよい。このような調理器具としては、通常、蒸し器が挙げられ、調理鍋又はフライパン等を兼ねる蒸し器（蒸し器兼用調理鍋とも称する。）が挙げられる。ここで、調理鍋として、例えば、片手鍋、両手鍋、平鍋、土鍋、蒸し鍋等の調理鍋等が挙げられる。
【００１４】
この発明に係る調理器具の一例を、図面を参照して、説明する。この発明に係る調理器具の一例である調理器具１は、電子レンジで蒸し料理が可能となる所謂「蒸し器」であって、図１に示されるように、調理器具本体１１と外面耐熱層１２とマイクロ波通過板１３とスノコ１４と蓋１５と内面耐熱層１６とを備えている。
【００１５】
調理器具本体１１は、図１（ａ）及び図１（ｂ）に示されるように、下に凸で上部開口を有する形状を有し、換言すると一端閉塞管体になっている。したがって、調理器具本体１１は、その周壁２１と、周壁２１の一開口端を連結して閉塞する底面２２とを有している。そして、上部開口すなわち周壁２１の開口には半径方向でやや下方に突出する鍔部２３が環状に連設されている。この鍔部２３は後述する蓋１５と共に調理器具本体１１の内部空間２４を密閉するようになっている。このような調理器具本体１１の形状は、通常の調理器具、例えば調理鍋の形状と基本的に同様である。
【００１６】
このような形状を有する調理器具本体１１は、内部空間２４の底面２２側、すなわち下部に水が貯蔵される貯蔵部２４ａと、内部空間２４の上部開口側、すなわち貯蔵部２４ａの上部に調理対象となる素材が配置される配置部（調理器具１において、蒸し部とも称する。）２４ｂと、貯蔵部２４ａ及び配置部２４ｂの境界に内部空間２４に向かって環状に突出する、後述するスノコ１４を載置する載置部２６とを有している。貯蔵部２４ａと配置部２４ｂとは明確に区別される必要はなく、例えば、載置部２６、又は、載置部２６に載置されたスノコ１４を境界にして、下方が貯蔵部２４ａで上方が配置部２４ｂとすることができる。
【００１７】
調理器具本体１１の周壁２１は、貯蔵部２４ａに臨む位置に、少なくとも１つ、好ましくは複数の欠落部２５を有している。この周壁２１は、周方向に等間隔で配列された、周方向に伸びる長方形の欠落部２５を４つ有している。この切欠部２５は、周壁２１を厚さ方向に貫通しているので貫通孔とも称され、また窓部とも称される。この切欠部２５は後述するマイクロ波通過板１３が装着され、電子レンジによるマイクロ波を通過させる機能を有する。したがって、この発明において切欠部２５は、マイクロ波を通過させることができればよく、前記切欠部２５に限定されることなく、その形成数、寸法、形状、配列状態及び配列間隔等は適宜に調整できる。
【００１８】
この調理器具本体１１は、電子レンジから発生するマイクロ波を遮断し、内部空間２４、特に配置部２４ｂに入射させない材料で形成されている。このようなマイクロ波を遮断する材料として、例えば、金属が挙げられ、具体的には、非磁性金属、磁性金属が挙げられる。非磁性金属としては、例えば、アルミニウム、銅、非磁性ステンレス（１８−８ステンレス鋼、１８−１０ステンレス鋼）等が挙げられる。磁性金属としては、例えば、鉄、鉄鋳物、有磁性ステンレス鋼（１８−０ステンレス鋼）等が挙げられる。調理器具本体１１を非磁性金属の中でもアルミニウムで形成すると調理器具本体１１の軽量化が図られ、一方、磁性金属で形成すると、後述する調理器具２と異なって調理器具本体２の底面２２に磁性金属板が配置されていなくても電子レンジはもちろん電磁調理器にも利用でき、汎用性が高い。
【００１９】
外面耐熱層１２は、耐熱性を有し、調理器具本体１１の外周面、すなわち周壁２１の外周面及び底面２２の外表面に配置され、基本的には調理器具本体１１の外周面全体を被覆している。したがって、調理器具本体１１がマイクロ波を遮断する材料で形成されていても電子レンジでの安全性を確保できる。この発明において外面耐熱層１２が有する「耐熱性」は、調理器具が蒸し器専用であれば約１４０℃でも形状を保持する特性であるのが好ましく、調理器具が電磁調理器にも兼用できるものであれば約２００℃でも形状を保持する特性であるのが好ましい。この外面耐熱層１２は、調理器具本体１１の外周面に配置された磁性粉を含有する第１外面耐熱層１２ａと、第１外面耐熱層１２ａの表面に積層配置された磁性粉を含有しない第２外面耐熱層１２ｂとを有し、第１外面耐熱層１２ａ及び第２外面耐熱層１２ｂの両方が前記耐熱性を有している。
【００２０】
第１外面耐熱層１２ａ及び第２外面耐熱層１２ｂのベースとなる材料は、樹脂、ゴム、ガラス等が挙げられ、樹脂又はゴムであるのが好ましい。樹脂としては、例えば、シリコーン樹脂、フッ素樹脂、エンプラ、スーパーエンプラ等の耐熱性樹脂が挙げられ、ゴムとしては、例えば、シリコーンゴム、フッ素ゴム等の耐熱性ゴムが挙げられる。一般に、シリコーン樹脂又はシリコーンゴムは約２２０℃でも耐熱性を発揮し、フッ素樹脂又はフッ素ゴムは約２００℃でも耐熱性を発揮する。
【００２１】
第１外面耐熱層１２ａは、磁性粉としてフェライト磁性粉を含有している。このフェライト磁性粉はマイクロ波及び電磁誘導で発熱し、その輻射熱で配置部２４ｂ内部、特に素材を周囲から加熱する。したがって、フェライト磁性粉を含有する第１外面耐熱層１２ａを備えた調理器具１は、安全性の確保に加えて、素材を蒸気と共に輻射熱によって加熱することができ、均一で効率の良い加熱料理が可能になる。また、このように輻射熱による加熱で蒸気による加熱を補填できるから、調理器具１が大型であっても均一に素材を加熱できる。第１外面耐熱層１２ａが含有するフェライト磁性粉の例としては、Ｍｎ−Ｚｎ系、Ｎｉ−Ｚｎ系等があり、粒径、形状等は特に限定されない。フェライト磁性粉の含有量は、ベースとなる材料１００質量部に対して５０〜１００質量部であるのが好ましく、６０〜８０質量部であるのが特に好ましい。第１外面耐熱層１２ａは磁性粉に加えて、ゴム組成物又は樹脂組成物に通常添加される各種添加剤、例えば、充填材等を含有していてもよい。なお、この発明において、第１外面耐熱層が含有する磁性粉はフェライト磁性粉に限定されず、公知の磁性粉を用いることができることはいうまでもない。
【００２２】
第２外面耐熱層１２ｂは、フェライト磁性粉等の磁性粉を含有せず、マイクロ波及び電磁誘導で自発的に発熱しない層であって、発熱した第１外面耐熱層１２ａから使用者を保護する。第２外面耐熱層１２ｂは磁性粉を含有していないこと以外は第１外面耐熱層１２ａと基本的に同様である。
【００２３】
第１外面耐熱層１２ａ及び第２外面耐熱層１２ｂは、それぞれの機能を発揮するのであれば厚さ及び厚さ比は特に限定されないが、例えば、０．５〜５ｍｍの厚さを有しているのが好ましい。
【００２４】
内面耐熱層１６は、耐熱性を有し、調理器具本体１１における周壁２１の内周面及び底面２２の内表面、並びに、蓋体１５の内側表面に配置され、基本的には調理器具１の内周面全体を被覆している。この内面耐熱層１６は、フェライト磁性粉等の磁性粉を含有せず、マイクロ波及び電磁誘導で自発的に発熱しない層であって第２外面耐熱層１２ｂと基本的に同様である。この内面耐熱層１６は水に溶出しない前記耐熱性樹脂又は前記耐熱性ゴムで形成されている。
【００２５】
マイクロ波通過板１３は、調理器具本体１１の欠落部２５それぞれに液密又は気密に接着剤等で装着されている。このマイクロ波通過板１３はマイクロ波を通過させる材料で欠落部２５と同一形状でほぼ同寸に形成された板体である。マイクロ波を通過させる材料は、非金属材料であればよく、例えば、樹脂、ゴム、ガラス、セラミックス等が挙げられる。このマイクロ波を通過させる材料には耐熱性も要求され、例えば前記耐熱性樹脂、前記耐熱性ゴム等が好適に挙げられる。
【００２６】
スノコ１４は、内部空間２４の内径と略同一又はわずかに大きな外径を有する円盤体であって、載置部２６上に配置される。スノコ１４は載置部２６上に配置されると、その周面と周壁２１の内面とが密着して貯蔵部２４ａと配置部２４ｂとを区画すると共に、マイクロ波通過板１３を通過したマイクロ波が載置部２４ｂに入射することを防止する。このスノコ１４は、載置部２６上に配置され、自身が載置した素材を配置部２５ｂに配置させる。スノコ１４は、軸線方向に貫通する複数の貫通孔１４ａを有しており、所謂「ザル」又は「篩」状なっている。この貫通孔１４ａは、配置部２４ｂに蒸気を進入させる一方でマイクロ波を進入させないように構成されており、マイクロ波が通過しない直径、例えば通常１０ｍｍ以下の直径を有している。
【００２７】
蓋１５は、調理器具本体１１の鍔部２３上に配置され、上部開口を液密又は気密に密閉して内部空間２４を閉塞する。蓋１５は、マイクロ波を遮断する材料で中央部が隆起した円盤体に形成された基体１５ａと、少なくとも基体１５ａの外側表面、すなわち隆起側表面に配置された蓋用耐熱層１５ｂと、基体１５ａの内側表面に内面耐熱層１６とを有している。マイクロ波を遮断する材料及び内面耐熱層１６は前記した通りであり、蓋用耐熱層１５ｂは外面耐熱層１２と基本的に同様に磁性粉を含有する第１蓋用耐熱層１５ｂ１及びフェライト磁性粉等の磁性粉を含有しない第２蓋用耐熱層１５ｂ２を有している。この蓋１５には、円盤体の外表面に球状の取手が設けられている。
【００２８】
このように、調理器具１は、マイクロ波が入射し、蒸気を発生させる貯蔵部２４ａとマイクロ波が入射せずに遮断された配置部２４ｂとを有する調理器具本体１１を備えているから、配置部２４ｂに配置された素材は蒸気で加熱され、電子レンジで蒸し料理が可能になる。
【００２９】
また、この調理器具１は、調理器具本体１１の外周面に、磁性粉としてフェライト磁性粉を含有する第１耐熱層１２ａを含む外面耐熱層１２を備えているから、電子レンジのマイクロ波又は電磁調理器の電磁誘導による輻射熱で蒸気による加熱に加えて素材を加熱又は蒸すことができ、均一で効率の良い加熱料理が可能になる。
【００３０】
さらに、調理器具１において、調理器具本体１１を非磁性金属の中でもアルミニウムで形成すると軽量化が図られ、一方、磁性金属で形成すると電子レンジはもちろん電磁調理器にも利用でき、汎用性及び実用性が高くなる。
【００３１】
そして、貯蔵部２４ａ及び配置部２４ｂを有する調理器具１が一体的に形成された一体型の調理器具であって、その取扱性等に優れる。
【００３２】
この発明に係る調理器具の別の一例である調理器具２は、電子レンジの蒸し料理に加えて電磁調理器での加熱料理も可能となる「蒸し器兼用調理鍋」であって、図２に示されるように、調理器具本体１１と外面耐熱層１２とマイクロ波通過板１３とスノコ１４と蓋１５と内面耐熱層１６と磁性金属板１７とを備えている。調理器具２は、例えばアルミニウム等の非磁性金属で作製された調理器具本体１１の底面２２に磁性金属板１７が配置されていること以外は調理器具１と基本的に同様である。
【００３３】
この磁性金属板１７は、調理器具２がＩＨ調理器上に置かれたときにＩＨ調理器のコイルで誘導電流が発生する位置及び配置形態等となるように配置されていればよく、調理器具２においては調理器具本体１１の底面２２と外面耐熱層１２との間に介装されている。また、磁性金属板１７は、通常、磁性金属で作製された、底面２２の外径と同一又はわずかに小さな外径を有する円盤体が採用されるが、例えば、非磁性金属板に磁性金属片及び磁性金属粉等の磁性体を含有させた円盤体であってもよく、磁性金属片又は短冊状の磁性金属板であってもよい。
【００３４】
このように調理器具２は、調理器具本体１１の底面２２に磁性金属板１７を有しているから、調理器具１と同様の機能を発揮するうえ、電子レンジで蒸し料理に加えて電磁調理器で加熱料理が可能になる。
【００３５】
この発明に係る調理器具のまた別の一例である調理器具３は、電子レンジで蒸し料理が可能となる所謂「蒸し器」であって、図３に示されるように、調理器具本体３１と外面耐熱層１２とマイクロ波通過板１３とスノコ１４と蓋１５と内面耐熱層１６と複数の脚１８とを備えている。調理器具３は調理器具本体３１の形状及び脚１８以外は調理器具１と基本的に同様である。
【００３６】
調理器具本体３１は、貯蔵部３１ａと、貯蔵部３１ａよりも大径の配置部３１ｂと、貯蔵部３１ａ及び配置部３１ｂを連結する連結部３１ｃとを備えていること以外は調理器具１の調理器具本体１１と基本的に同様である。この調理器具本体３１は小径の貯蔵部３１ａに欠落部２５を有している。なお、この調理器具本体３１は連結部３１ｃ上にスノコ１４が載置されるから調理器具本体１１の載置部２６を備えていない。したがって、スノコ１４は貯蔵部３１ａの内径以上で配置部３１ｂの内径以下の外径を有している。
【００３７】
外面耐熱層１２及び内面耐熱層１６は、調理器具本体３１の形状に追従してその外周面又は内周面を被覆するように配置されている点を含めて調理器具本体１１の外面耐熱層１２及び内面耐熱層１６と基本的に同様である。
【００３８】
脚１８は、その軸線方向に伸縮自在な伸縮脚として、連結部３１ｃの外面に複数、例えば４本が周方向に等間隔で配置されている。この脚１８は、収縮状態において貯蔵部３１ａの高さ（深さ）よりも短く、延伸状態において貯蔵部３１ａの高さよりも長くなるように、伸縮可能になっている。このような伸縮脚１８は、管状の外側脚部１８ａと外側脚部１８ａよりも小径で環状又は筒状の内側脚部１８ｂとを備え、内側脚部１８ｂが外内側脚部１８ａの軸孔内を軸線に沿って前後進可能に内装された伸縮脚を採用できる。
【００３９】
このように調理器具３は、基本的に調理器具１と同様の構造を有しているから、調理器具１と同様の機能を発揮するうえ、電子レンジで蒸し料理が可能になる。特に、調理器具３は、複数の脚１８を備えているから、例えばレンジ内底面からマイクロ波が照射される電子レンジであっても、マイクロ波が照射されるレンジ内底面から調理器具本体３１を離間した状態でレンジ内に配置でき、マイクロ波を効率よく利用して加熱効率を高めることができる。
【００４０】
この発明に係る調理器具は、前記した例に限定されることはなく、本願発明の目的を達成することができる範囲において、種々の変更が可能である。例えば、調理器具１〜３は、いずれも、第１外面耐熱層１２ａ及び第２外面耐熱層１２ｂを有する２層構造の外面耐熱層１２を備えているが、この発明において、調理器具は、第１外面耐熱層又は第２外面耐熱層のみを有する１層構造の外面耐熱層を備えていてもよく、またこれら耐熱層のいずれか一方と他の層を有する２層構造の外面耐熱層を備えていてもよく、さらに、これら耐熱層の両方と他の層を有する３層以上の多層構造の外面耐熱層を備えていてもよい。他の層としては、例えば、接着層、化粧層、非粘着層等が挙げられる。
【００４１】
調理器具１〜３は、いずれも、調理器具本体１１及び３１並びに蓋１５の内周面及び内表面並びに裏面に内面耐熱層１６を備えているが、この発明において、調理器具は、調理器具本体及び蓋の内周面及び内表面並びに裏面に内面耐熱層を備えていなくてもよい。
【００４２】
調理器具１及び２はスノコ１４を載置する載置部２６を備え、調理器具３はスノコ１４が載置される連結部３１ｃを備えているが、この発明において、調理器具は、スノコが載置される載置部及び連結部を備えず、スノコに脚を設けてスノコ自体が起立状態に配置されるように構成されてもよく、また、スノコにフック等を設けてスノコが鍔部に懸垂状態に配置されるように構成されてもよい。
【００４３】
調理器具３は、調理器具本体３１の連結部３１ｃに複数の脚１８を備えているが、この発明において、脚は伸縮脚である必要はなく伸縮しない固定脚であってもよく、また、脚は調理器具本体の連結部以外、例えば、底面に設けられていてもよい。
【符号の説明】
【００４４】
１、２、３  調理器具
１１、３１  調理器具本体
１２  外面耐熱層
１２ａ  第１外面耐熱層
１２ｂ  第２外面耐熱層
１３  マイクロ波通過板
１４  スノコ
１４ａ貫通孔
１５  蓋
１５ａ  基体
１５ｂ  蓋用耐熱層
１５ｂ１  第１蓋用耐熱層
１５ｂ２  第２蓋用耐熱層
１６  内面耐熱層
１７  磁性金属板
１８  脚
１８ａ  外側脚部
１８ｂ  内側脚部
２１  周壁
２２  底面
２３  鍔部
２４  内部空間
２４ａ、３１ａ  貯蔵部
２４ｂ、３１ｂ  配置部
２５  欠落部
２６  載置部
３１ｃ  連結部
【図１】
2014036811.tif 000003
【図２】
2014036811.tif 000004
【図３】
2014036811.tif 000005